(57)【要約】【課題】組み立てと補修が容易なバックアップロールユニットを提供することである。【解決手段】中央部分をサドル４で支持されたアーバ２に、二つのバックアップロールベアリング３をサドル４の両側で一つずつ組み付けたものとし、各バックアップロールベアリング３を、中鍔５ａを有する外輪５と、アーバ２に外嵌された内輪６との間にころ７を２列に配列した複列円筒ころ軸受で形成して、ナット１１で抜け止めすることにより、ラジアル荷重とアキシアル荷重を一つの軸受で受けるようにして、バックアップロールユニット１を組み立てと補修が容易なものとした。【選択図】図２
2006009815.tif 000002
【特許請求の範囲】
【請求項１】
アーバにバックアップロールベアリングを軸受構造で回転自在に組み付けたバックアップロールユニットにおいて、前記軸受構造を外輪側に中鍔を有する一つの複列円筒ころ軸受で形成したことを特徴とするバックアップロールユニット。
【請求項２】
前記複列円筒ころ軸受が内輪を有するものである請求項１に記載のバックアップロールユニット。
【請求項３】
前記アーバの軸方向に二つのバックアップロールベアリングを組み付け、これらのバックアップロールベアリング間に、前記アーバが内嵌支持されるサドルを設けた請求項１または２に記載のバックアップロールユニット。
【発明の詳細な説明】
【技術分野】
【０００１】
本発明は、アーバにバックアップロールベアリングを軸受構造で回転自在に組み付けたバックアップロールユニットに関する。
【背景技術】
【０００２】
金属板を圧延する多段圧延機や、金属板のひずみを矯正するレベラや、金属板の表面に曲げひずみを付与して表面のスケールを剥離させるスケールブレーカ等には、アーバにバックアップロールベアリングを組み付けた複数のバックアップロールユニットを、ワークロールの背面側に直接、または中間ロールを介して軸方向に配列したものがある。
【０００３】
これらのバックアップロールユニットでは、バックアップロールベアリングは軸受構造によって、回転を固定されたアーバに回転自在に組み付けられ、バックアップロールベアリングを回転自在とする軸受構造は、ラジアル荷重用の軸受とアキシアル荷重用の軸受との複数の軸受を組み込んだものとされている（例えば、特許文献１、２参照）。特許文献１および２に記載されたものでは、ラジアル荷重用に保持器付き針状ころ軸受を、アキシアル荷重用に深溝玉軸受を用いている。
【０００４】
また、多段圧延機に較べて比較的軽負荷で使用されるレベラやスケールブレーカのバックアップロールユニットには、アーバの軸方向に二つのバックアップロールベアリングを組み付け、これらのバックアップロールベアリング間にアーバが内嵌支持されるサドルを設けて、軸方向に配列されるユニット数とその支持点数を減らすようにしたものもある。
【０００５】
【特許文献１】特開平５−２９６２３３号公報（第７頁、第１−２図）
【特許文献２】特開２０００−２２６６４０号公報（第３頁、第１−２図）
【発明の開示】
【発明が解決しようとする課題】
【０００６】
特許文献１および２に記載されたバックアップロールユニットは、バックアップロールベアリングの軸受構造に複数の軸受を用いているので、ユニットの組み立て作業が煩雑なものとなる問題がある。また、軸受に内輪のない針状ころ軸受を用いて、アーバの外周面をその軌道面としているので、大寸法のアーバに熱処理を施す必要があり、このように熱処理を施しても、軸受が損傷したときにアーバに疵が発生することがある。このため、軸受損傷時の補修に手間がかかり、場合によっては、アーバの再使用が不可能となることもある。
【０００７】
さらに、アーバに二つのバックアップロールベアリングを組み付け、これらのバックアップロールベアリング間に、アーバが内嵌支持されるサドルを設けたバックアップロールユニットでは、複数の軸受を用いた軸受構造によって、各バックアップロールベアリングとアーバとが分離し難い構造となっているので、アーバをサドルに着脱するために、サドルのアーバ支持部を二つ割りの構造とする必要があり、ユニットの組み立て作業がさらに煩雑なものとなる。
【０００８】
そこで、本発明の課題は、組み立てと補修が容易なバックアップロールユニットを提供することである。
【課題を解決するための手段】
【０００９】
上記の課題を解決するために、本発明は、アーバにバックアップロールベアリングを軸受構造で回転自在に組み付けたバックアップロールユニットにおいて、前記軸受構造を外輪側に中鍔を有する一つの複列円筒ころ軸受で形成した構成を採用した。
【００１０】
すなわち、バックアップロールベアリングの軸受構造を、外輪側に中鍔を有する一つの複列円筒ころ軸受で形成することにより、ラジアル荷重とアキシアル荷重を一つの軸受で受けるようにし、バックアップロールユニットを容易に組み立てることができるようにした。
【００１１】
前記複列円筒ころ軸受を内輪を有するものとすることにより、大寸法のアーバの熱処理を不要にできるとともに、軸受損傷時の補修を容易にすることができる。
【００１２】
前記アーバの軸方向に二つのバックアップロールベアリングを組み付け、これらのバックアップロールベアリング間に、前記アーバが内嵌支持されるサドルを設けたバックアップロールユニットでは、各バックアップロールベアリングをアーバと分離しやすくして、バックアップロールベアリングを分離したアーバを、一体構造としたサドルのアーバ支持部に着脱することができ、ユニットの組み立てをより容易にすることができる。
【発明の効果】
【００１３】
本発明のバックアップロールユニットは、バックアップロールベアリングの軸受構造を、外輪側に中鍔を有する一つの複列円筒ころ軸受で形成し、ラジアル荷重とアキシアル荷重を一つの軸受で受けるようにしたので、バックアップロールユニットを容易に組み立てることができる。
【００１４】
前記複列円筒ころ軸受を内輪を有するものとすることにより、大寸法のアーバの熱処理を不要にできるとともに、軸受損傷時の補修を容易にすることができる。
【００１５】
前記アーバの軸方向に二つのバックアップロールベアリングを組み付け、これらのバックアップロールベアリング間に、前記アーバが内嵌支持されるサドルを設けたバックアップロールユニットでは、各バックアップロールベアリングをアーバと分離しやすくして、バックアップロールベアリングを分離したアーバを、一体構造としたサドルのアーバ支持部に着脱することができ、ユニットの組み立てをより容易にすることができる。
【発明を実施するための最良の形態】
【００１６】
以下、図面に基づき、本発明の実施形態を説明する。図１（ａ）、（ｂ）は、実施形態のバックアップロールユニット１を用いたテンションレベラを示す。このテンションレベラは、張力を付与されてパスラインを通される金属板Ａの上下両側に、金属板Ａに曲げ変形を与えるワークロール２１と、金属板Ａをパスラインに支持するデフレクタロール２２とを、所定のレイアウトで配設したものである。各ワークロール２１の背面側には２本の中間ロール２３が配設され、さらにその背面側に、軸方向に配列された三つのバックアップロールユニット１が３組配設されて、金属板Ａを矯正するためのワークロール２１の押し込み量が、その軸方向で任意に調整されるようになっている。
【００１７】
前記各バックアップロールユニット１は、図２（ａ）、（ｂ）に示すように、アーバ２の軸方向に二つのバックアップロールベアリング３を回転自在に組み付け、これらのバックアップロールベアリング３間にアーバ２を支持するサドル４を設けて、軸方向に配列されるユニット数とその支持点数を減らすようにしたものである。
【００１８】
前記各バックアップロールベアリング３は、中鍔５ａを有する外輪５と、アーバ２に外嵌された内輪６との間にころ７を２列に配列した複列円筒ころ軸受で形成され、ラジアル荷重とアキシアル荷重が一つの軸受で受けられるようになっている。内輪６の両側には鍔輪８が設けられ、各鍔輪８と外輪５との間に軸受空間のシール部材９が設けられている。
【００１９】
前記アーバ２の中央部分は段差部２ａによって大径に形成されており、この大径の中央部分が一体構造のサドル４の支持部に内嵌されて、キー１０で回り止めされている。また、各バックアップロールベアリング３は、アーバ２の段差部２ａに押し当てられ、アーバ２の軸端部に螺着されたナット１１によって抜け止めされている。したがって、各バックアップロールベアリング３は、ナット１１を取り外すことにより容易にアーバ２と分離することができ、サドル４の支持部を二つ割りの構造としなくても、各バックアップロールベアリング３を分離した状態で、アーバ２を容易にサドル４に着脱することができる。
【００２０】
上述した実施形態では、アーバの軸方向に二つのバックアップロールベアリングを組み付けたものとしたが、本発明に係るバックアップロールユニットは、アーバに一つのバックアップロールベアリングを組み付けたものにも適用することができる。
【図面の簡単な説明】
【００２１】
【図１】ａは実施形態のバックアップロールユニットを用いたテンションレベラを示す側面図、ｂはａのIb−Ib線に沿った断面図
【図２】ａは図１のバックアップロールユニットを示す一部切欠き正面図、ｂはａのIIb−IIb線に沿った断面図
【符号の説明】
【００２２】
１  バックアップロールユニット
２  アーバ
２ａ  段差部
３  バックアップロールベアリング
４  サドル
５  外輪
５ａ  中鍔
６  内輪
７  ころ
８  鍔輪
９  シール部材
１０  キー
１１  ナット
２１  ワークロール
２２  デフレクタロール
２３  中間ロール
【図１】
2006009815.tif 000003
【図２】
2006009815.tif 000004